(57)【要約】  利用者が割当かごに対応する乗場ドアを誤認識することを防止できるエレベータの乗場報知システムを提供する。エレベータの乗場報知システムは、乗場の乗場操作盤（２）に設けられ、行先階を示す情報の入力を受け付ける階床入力部（５）と、階床入力部（５）に入力された情報に基づく呼びに対して複数のかごのうち１つを割り当てるかご割当部（７）と、かごのそれぞれに対応して配置された乗場スピーカ（３）と、乗場スピーカ（３）を用いて報知するかご位置報知部（９）と、かご割当部（７）により割り当てられたかごについての報知を行う順序を決定する報知順決定部（１４）と、報知順決定部（１４）により決定された順序を記憶する報知順記憶部（１０）と、を備える。かご位置報知部（９）は、１つのかごについての報知が完了するまでは他のかごについての報知を開始せず、報知順記憶部（１０）に記憶されている順序に従って報知を行う。
2016185527.tif 000002
【特許請求の範囲】
【請求項１】
複数のかごのそれぞれに対応する乗場ドアが設けられた乗場の乗場操作盤に設けられ、行先階を示す情報の入力を受け付ける階床入力部と、  前記階床入力部に入力された情報に基づく呼びに対して前記複数のかごのうち１つを割り当てるかご割当部と、  前記乗場において前記複数のかごのそれぞれに対応して配置された乗場スピーカと、  前記かご割当部により割り当てられたかごに対応する乗場ドアの位置を示す情報を当該かごに対応する乗場スピーカを用いて報知するかご位置報知部と、  前記かご位置報知部による報知に要する時間を記憶している報知情報記憶部と、  前記かご割当部によりかごが割り当てられた場合に、前記乗場が設けられた階に当該かごが到着する時刻を取得する到着時刻取得部と、  前記かご割当部によりかごが割り当てられた場合に、前記階床入力部が設けられた乗場操作盤の位置から当該かごに対応する乗場ドアの位置まで利用者が移動するのに要する時間を取得する移動時間取得部と、  前記報知情報記憶部に記憶されている時間、前記到着時刻取得部により取得された時刻及び前記移動時間取得部により取得された時間に基づいて、前記かご割当部により割り当てられたかごについての報知を行う順序を決定する報知順決定部と、  前記報知順決定部により決定された順序を記憶する報知順記憶部と、を備え、  前記かご位置報知部は、１つのかごについての報知が完了するまでは他のかごについての報知を開始せず、前記報知順記憶部に記憶されている順序に従って報知を行うエレベータの乗場報知システム。
【請求項２】
前記報知順決定部は、前記かご割当部により割り当てられたかごのうち、前記報知情報記憶部に記憶されている時間と前記移動時間取得部により取得された時間とを合わせた時間だけ前記到着時刻取得部により取得された時刻から遡った時刻がより早いものについての報知がより先に行われるように報知を行う順序を決定する請求項１に記載のエレベータの乗場報知システム。
【請求項３】
前記階床入力部が設けられた乗場操作盤に設けられた操作盤スピーカと、  前記かご割当部により割り当てられたかごを示す情報を前記操作盤スピーカを用いて報知する割当かご報知部と、を備え、  前記かご位置報知部は、前記割当かご報知部による報知が行われている間は報知を行わず、  前記割当かご報知部は、前記かご位置報知部による報知が行われている間は報知を行わない請求項２に記載のエレベータの乗場報知システム。
【請求項４】
新たな呼びに対してかごが割り当てられたことにより前記報知順記憶部に記憶されている順序が更新された際に、前記かご位置報知部が当該順序に従って報知を行うことが不可能であるか否かを判定する報知可能判定部を備え、  前記かご割当部は、前記報知可能判定部により前記かご位置報知部が当該順序に従って報知を行うことが不可能であると判定された場合、当該新たな呼びに対して別のかごを割り当てる請求項２に記載のエレベータの乗場報知システム。
【発明の詳細な説明】
【技術分野】
【０００１】  本発明は、エレベータの乗場報知システムに関するものである。
【背景技術】
【０００２】  下記特許文献１には、エレベータシステムが記載されている。当該エレベータシステムは、乗場操作盤に対する操作が行われると、割当かごを示す音を乗場操作盤から鳴動させる。当該エレベータシステムは、乗場操作盤から鳴動させた音と同じ音を割当かごに対応する乗場ドア付近のスピーカから鳴動させる。これにより、利用者は、割当かごに対応する乗場ドアの位置に誘導される。
【先行技術文献】
【特許文献】
【０００３】
【特許文献１】日本特表２００７−５３７９６２号公報
【発明の概要】
【発明が解決しようとする課題】
【０００４】  特許文献１に記載のエレベータシステムでは、複数のスピーカからの鳴動が重なった場合、利用者が音を聞き取りづらくなる。この場合、利用者は、割当かごに対応する乗場ドアを誤認識することがある。【０００５】  本発明は、上記の課題を解決するためになされた。その目的は、利用者が割当かごに対応する乗場ドアを誤認識することを防止できるエレベータの乗場報知システムを提供することである。
【課題を解決するための手段】
【０００６】  本発明に係るエレベータの乗場報知システムは、複数のかごのそれぞれに対応する乗場ドアが設けられた乗場の乗場操作盤に設けられ、行先階を示す情報の入力を受け付ける階床入力部と、階床入力部に入力された情報に基づく呼びに対して複数のかごのうち１つを割り当てるかご割当部と、乗場において複数のかごのそれぞれに対応して配置された乗場スピーカと、かご割当部により割り当てられたかごに対応する乗場ドアの位置を示す情報を当該かごに対応する乗場スピーカを用いて報知するかご位置報知部と、かご位置報知部による報知に要する時間を記憶している報知情報記憶部と、かご割当部によりかごが割り当てられた場合に、乗場が設けられた階に当該かごが到着する時刻を取得する到着時刻取得部と、かご割当部によりかごが割り当てられた場合に、階床入力部が設けられた乗場操作盤の位置から当該かごに対応する乗場ドアの位置まで利用者が移動するのに要する時間を取得する移動時間取得部と、報知情報記憶部に記憶されている時間、到着時刻取得部により取得された時刻及び移動時間取得部により取得された時間に基づいて、かご割当部により割り当てられたかごについての報知を行う順序を決定する報知順決定部と、報知順決定部により決定された順序を記憶する報知順記憶部と、を備え、かご位置報知部は、１つのかごについての報知が完了するまでは他のかごについての報知を開始せず、報知順記憶部に記憶されている順序に従って報知を行うものである。
【発明の効果】
【０００７】  本発明に係るエレベータの乗場報知システムにおいて、かご位置報知部は、１つのかごについての報知が完了するまでは他のかごについての報知を開始せず、報知順記憶部に記憶されている順序に従って報知を行う。このため、本発明によれば、利用者が割当かごに対応する乗場ドアを誤認識することを防止できる。
【図面の簡単な説明】
【０００８】
【図１】本発明の実施の形態１におけるエレベータの乗場報知システムが適用される建物に設けられた乗場の一例を示す模式図である。
【図２】本発明の実施の形態１におけるエレベータの乗場報知システムの構成図である。
【図３】本発明の実施の形態１におけるエレベータの乗場報知システムの報知順更新処理を示すフローチャートである。
【図４】本発明の実施の形態１におけるエレベータの乗場報知システムの報知順決定処理を示すフローチャートである。
【図５】本発明の実施の形態１におけるエレベータの乗場報知システムの報知処理を示すフローチャートである。
【図６】本発明の実施の形態２におけるエレベータの乗場報知システムの構成図である。
【図７】本発明の実施の形態２におけるエレベータの乗場報知システムの報知順更新処理を示すフローチャートである。
【図８】本発明の実施の形態２におけるエレベータの乗場報知システムの報知処理を示すフローチャートである。
【図９】本発明の実施の形態３におけるエレベータの乗場報知システムの構成図である。
【図１０】本発明の実施の形態３におけるエレベータの乗場報知システムの報知順更新処理を示すフローチャートである。
【図１１】本発明の実施の形態３におけるエレベータの乗場報知システムの報知可能判定処理を示すフローチャートである。
【図１２】制御盤のハードウェア構成図である。
【発明を実施するための形態】
【０００９】  添付の図面を参照して、本発明を詳細に説明する。各図では、同一又は相当する部分に同一の符号を付している。重複する説明は、適宜簡略化あるいは省略する。
【００１０】実施の形態１．  図１は、実施の形態１におけるエレベータの乗場報知システムが適用される建物に設けられた乗場の一例を示す模式図である。エレベータの乗場報知システムは、複数の階を備えた図示しない建物に適用される。建物には、異なる昇降経路を移動する複数のかごが設けられている。昇降経路は、例えば、建物の各階を貫くように形成された昇降路である。エレベータの乗場は、例えば、建物の各階に設けられている。
【００１１】  図１に示すように、乗場には、複数のかごのそれぞれに対応する乗場ドア１が設けられている。図１は、乗場ドア１として、乗場ドア１ａ、乗場ドア１ｂ及び乗場ドア１ｃが乗場に設けられている場合を例示している。乗場ドア１ａの奥には、図示しない第１昇降経路が存在する。乗場ドア１ｂの奥には、図示しない第２昇降経路が存在する。乗場ドア１ｃの奥には、図示しない第３昇降経路が存在する。以下、第１昇降経路を移動するかごを「かごＡ」とも呼ぶ。第２昇降経路を移動するかごを「かごＢ」とも呼ぶ。第３昇降経路を移動するかごを「かごＣ」とも呼ぶ。
【００１２】  図１に示すように、乗場には、乗場操作盤２が設けられている。乗場操作盤２は、１つ又は複数の階に設置されている。乗場操作盤２は、１つの乗場につき、１つ又は複数設置されている。乗場操作盤２は、例えば、乗場の壁面等に配置されている。図１は、乗場操作盤２として、乗場操作盤２ａ、乗場操作盤２ｂ及び乗場操作盤２ｃが設けられている場合を例示している。乗場操作盤２ａ、乗場操作盤２ｂ及び乗場操作盤２ｃは、乗場の壁面に配置されている。
【００１３】  図１に示すように、乗場には、乗場スピーカ３が設けられている。乗場スピーカ３は、乗場において、乗場ドア１のそれぞれに対応して配置されている。つまり、乗場スピーカ３は、乗場において、複数のかごのそれぞれに対応して配置されている。乗場スピーカ３は、例えば、対応する乗場ドア１付近の壁面等に配置されている。図１は、乗場スピーカ３として、乗場スピーカ３ａ、乗場スピーカ３ｂ及び乗場スピーカ３ｃが設けられている場合を例示している。乗場スピーカ３ａは、かごＡに対応して設けられている。乗場スピーカ３ａは、乗場ドア１ａの上側の壁面に配置されている。乗場スピーカ３ｂは、かごＢに対応して設けられている。乗場スピーカ３ｂは、乗場ドア１ｂの上側の壁面に配置されている。乗場スピーカ３ｃは、かごＣに対応して設けられている。乗場スピーカ３ｃは、乗場ドア１ｃの上側の壁面に配置されている。
【００１４】  図２は、実施の形態１におけるエレベータの乗場報知システムの構成図である。
【００１５】  図２に示すように、エレベータの乗場報知システムは、乗場操作盤２、乗場スピーカ３及び制御盤４を備えている。制御盤４は、複数のかごに対して１つ設けられている。制御盤４は、複数のかごの運行を管理する。
【００１６】  図２に示すように、乗場操作盤２には、階床入力部５及び操作盤スピーカ６が設けられている。階床入力部５は、例えば、エレベータの利用者等によって操作される。階床入力部５は、例えば、階床釦、タッチパネル及び音声入力を受け付けるマイク等である。階床入力部５は、行先階を示す情報等の入力を受け付ける。階床入力部５に行先階を示す情報が入力されると、当該階床入力部５が設けられた乗場操作盤２の設置階から当該行先階へ移動するための呼びが発生する。
【００１７】  図２に示すように、制御盤４は、かご割当部７、割当かご報知部８、かご位置報知部９、報知順記憶部１０、報知情報記憶部１１、到着時刻取得部１２、移動時間取得部１３及び報知順決定部１４を備えている。
【００１８】  かご割当部７は、階床入力部５に入力された情報に基づく呼びに対して、複数のかごのうち１つを割り当てる。以下、かご割当部７により呼びに対して割り当てられているかごを「割当かご」とも呼ぶ。
【００１９】  割当かご報知部８は、割当かごを示す情報を報知する。割当かご報知部８は、例えば、割当かごを示すかご名等を利用者に報知する。割当かご報知部８は、操作盤スピーカ６を用いて情報を報知する。割当かご報知部８による報知は、例えば、操作盤スピーカ６からアナウンスを放送すること等である。
【００２０】  かご位置報知部９は、割当かごに対応する乗場ドア１の位置を示す情報を報知する。かご位置報知部９は、乗場スピーカ３を用いて情報を報知する。かご位置報知部９による報知は、例えば、乗場スピーカ３からアナウンスを放送すること等である。
【００２１】  報知順記憶部１０は、リストＬ１を記憶する。下記表１は、リストＬ１の一例を示している。表１に示すように、リストＬ１は、「かご名」、「報知開始期限時刻」及び「報知順」を含んでいる。リストＬ１における「かご名」は、現時点での割当かごを示す。「報知開始期限時刻」は、「かご名」が示す割当かごについてのかご位置報知部９による報知が開始されなければならない限界の時刻である。「報知順」は、「かご名」が示す割当かごについてのかご位置報知部９による報知が行われる順番である。つまり、リストＬ１は、現時点での割当かごのうち、どのかごに乗車するための乗場ドア１の位置を優先的に報知するかという順序を表す。
【００２２】
【表１】
2016185527.tif 000003
【００２３】  報知情報記憶部１１は、リストＬ２を記憶している。下記表２は、リストＬ２の一例を示している。表２に示すように、リストＬ２は、「かご名」、「使用スピーカ」及び「報知時間」を含んでいる。リストＬ２における「かご名」は、現時点での割当かごであるか否かに関係なく、例えば、制御盤４によって運行を管理されているかごを示す。「使用スピーカ」は、リストＬ２における「かご名」が示すかごについての報知に用いられる乗場スピーカ３を示す。「報知時間」は、リストＬ２における「かご名」が示すかごについての報知のために「使用スピーカ」から音が鳴動する時間を示す。つまり、リストＬ２は、かご位置報知部９による報知に要する時間及び当該報知に用いられる乗場スピーカ３をかご毎に表している。リストＬ２の内容は、例えば、予め設定されたものである。リストＬ２における「報知時間」の単位は、例えば、秒である。
【００２４】
【表２】
2016185527.tif 000004
【００２５】  到着時刻取得部１２は、かご割当部７により呼びに対してかごの割り当てが行われた場合に、当該かごの「到着時刻」を取得する。「到着時刻」は、行先階を示す情報を入力するために用いられた乗場操作盤２の設置階に当該かごが到着する時刻である。「到着時刻」は、例えば、当該かごの現在位置、当該かごがこれから停止する予定の階及び当該かごの移動速度等の情報に基づいて算出される。
【００２６】  移動時間取得部１３は、リストＬ３を記憶している。移動時間取得部１３は、かご割当部７により呼びに対してかごの割り当てが行われた場合に、利用者の「移動時間」をリストＬ３から取得する。「移動時間」は、行先階を示す情報を入力するために用いられた乗場操作盤２の位置から当該かごに対応する乗場ドア１の位置まで利用者が移動するのに要する時間である。
【００２７】  下記表３は、リストＬ３の一例を示している。表３に示すように、リストＬ３は、乗場操作盤２とかごの組み合わせ毎に「移動時間」を表すものである。「移動時間」の単位は、例えば、秒である。リストＬ３における「移動時間」は、例えば、予め算出されたものである。
【００２８】
【表３】
2016185527.tif 000005
【００２９】  報知順決定部１４は、かご割当部７により呼びに対してかごの割り当てが行われた場合に、「報知時間」、「到着時刻」及び「移動時間」に基づいて、「報知開始期限時刻」を算出する。「報知開始期限時刻」は、「報知時間」と「移動時間」とを合わせた時間だけ「到着時刻」から遡った時刻である。「報知開始期限時刻」は、下記の式により算出される。  「報知開始期限時刻」＝「到着時刻」−「移動時間」−「報知時間」
【００３０】  かご位置報知部９による報知は、例えば、遅くとも「報知開始期限時刻」までに開始される。このため、利用者は、かごの位置を示す情報を最後まで聞き終わってから移動を開始した場合であっても、遅くとも当該かごが到着するまでに当該かごに対応する乗場ドア１の位置まで移動できる。
【００３１】  報知順決定部１４は、「報知開始期限時刻」が早いほど「報知順」が上位になるように、全ての割当かごについての「報知順」を決定する。つまり、報知順決定部１４は、「報知開始期限時刻」に基づいて、どの割当かごに乗車するための乗場ドア１の位置を優先的に報知するかという順序を決定する。報知順決定部１４により決定された「報知順」は、報知順記憶部１０が記憶するリストＬ１に反映される。つまり、新しく発生した呼びに対してかごが割り当てられると、報知順記憶部１０に記憶される報知の順序が更新される。
【００３２】  図３は、実施の形態１におけるエレベータの乗場報知システムの報知順更新処理を示すフローチャートである。報知順更新処理は、乗場操作盤２に設けられた階床入力部５に行先階を示す情報が入力されるたびに開始される。つまり、報知順更新処理は、新たな呼びが発生するたびに行われる。
【００３３】  以下、図３を参照して、報知順更新処理の第１の具体例を説明する。第１の具体例では、かご位置報知部９による報知の予定がない状態で、図１に示す乗場に居る第１の利用者によって乗場操作盤２ｂが操作されるものとする。つまり、第１の具体例では、リストＬ１に何も情報が登録されていない状態で呼びが発生するものとする。また、第１の具体例では、呼びに対してかごＡが割り当てられるものとする。
【００３４】  第１の利用者が乗場操作盤２ｂに設けられた階床入力部５に行先階を示す情報を入力すると、呼びが発生する。かご割当部７は、当該呼びに対してかごＡを割り当てる（ステップＳ１０１）。到着時刻取得部１２は、ステップＳ１０１で割り当てられたかごＡの「到着時刻」を取得する（ステップＳ１０２）。ここでは、かごＡの「到着時刻」が１２：００：１４であったとする。
【００３５】  移動時間取得部１３は、ステップＳ１０１で割り当てられたかごＡに対応する乗場ドア１ａへの第１の利用者の「移動時間」を取得する（ステップＳ１０３）。ここでは、表３に示すリストＬ３より、乗場操作盤２ｂとかごＡの組み合わせについての「移動時間」である４秒が取得される。
【００３６】  報知順決定部１４は、ステップＳ１０１で割り当てられたかごＡについての「報知時間」を取得する（ステップＳ１０４）。ここでは、表２に示すリストＬ２より、乗場スピーカ３ａから音が鳴動する時間である３秒が取得される。
【００３７】  報知順決定部１４は、ステップＳ１０２で取得した「到着時刻」、ステップＳ１０３で取得した「移動時間」及びステップＳ１０４で取得した「報知時間」に基づいて、「報知開始期限時刻」を算出する（ステップＳ１０５）。ここでは、下記の計算により、「報知開始期限時刻」は１２：００：０７となる。  １２:００:１４−４−３＝１２:００:０７
【００３８】  報知順決定部１４は、ステップＳ１０５で算出した「報知開始期限時刻」に基づいて「報知順」を決定し、リストＬ１に反映させる（ステップＳ１０６）。ここでは、事前にリストＬ１に何も情報が登録されていないため、リストＬ１の内容は表１に示すものとなる。
【００３９】  割当かご報知部８は、ステップＳ１０１で割り当てられたかごＡを示す情報を乗場操作盤２ｂの操作盤スピーカ６を用いて報知する（ステップＳ１０７）。これにより、第１の利用者は、自身の乗るべき割当かごがかごＡであることを把握する。
【００４０】  以下、図３を参照して、報知順更新処理の第２の具体例を説明する。第２の具体例では、第１の具体例における乗場操作盤２ｂの操作及びかごＡの割り当てに続いて、図１に示す乗場に居る第２の利用者によって乗場操作盤２ａが操作されるものとする。また、第２の具体例では、呼びに対してかごＣが割り当てられるものとする。
【００４１】  第２の利用者が乗場操作盤２ａに設けられた階床入力部５に行先階を示す情報を入力すると、呼びが発生する。ステップＳ１０１において、かご割当部７は、当該呼びに対してかごＣを割り当てる。ステップＳ１０２において、到着時刻取得部１２は、かごＣの「到着時刻」を取得する。ここでは、かごＣの「到着時刻」が１２：００：１５であったとする。
【００４２】  ステップＳ１０３において、移動時間取得部１３は、かごＣに対応する乗場ドア１ｃへの第２の利用者の「移動時間」を取得する。ここでは、表３に示すリストＬ３より、乗場操作盤２ａとかごＣの組み合わせについての「移動時間」である１０秒が取得される。
【００４３】  ステップＳ１０４において、報知順決定部１４は、かごＣについての「報知時間」を取得する。ここでは、表２に示すリストＬ２より、乗場スピーカ３ｃから音が鳴動する時間である３秒が取得される。
【００４４】  ステップＳ１０５において、報知順決定部１４は、「報知開始期限時刻」を算出する。ここでは、下記の計算により、「報知開始期限時刻」は１２：００：０２となる。  １２:００:１５−１０−３＝１２:００:０２
【００４５】  ステップＳ１０６において、報知順決定部１４は、「報知開始期限時刻」に基づいて「報知順」を決定し、リストＬ１に反映させる。ここでは、リストＬ１の内容は、下記表４に示すものとなる。このように、「報知順」がリストＬ１に反映されることで、報知順記憶部１０に記憶される報知の順序が更新される。つまり、新たな呼びに対してかごが割り当てられると、リストＬ１が更新される。
【００４６】
【表４】
2016185527.tif 000006
【００４７】  ステップＳ１０７において、割当かご報知部８は、かごＣを示す情報を乗場操作盤２ａの操作盤スピーカ６を用いて報知する。これにより、第２の利用者は、自身の乗るべき割当かごがかごＣであることを把握する。
【００４８】  図４は、実施の形態１におけるエレベータの乗場報知システムの報知順決定処理を示すフローチャートである。報知順決定処理は、図３のステップＳ１０６で行われる処理の詳細を示すものである。以下の説明において、リストＬ１［ｉ］は、リストＬ１のｉ番目に記憶されている情報を指す。また、Ｎは、リストＬ１の総要素数を示す。
【００４９】  以下、図４を参照して、報知順決定処理の第１の具体例を説明する。報知順決定処理の第１の具体例は、上述した報知順更新処理の第１の具体例における報知順決定処理である。
【００５０】  報知順決定部１４は、ステップＳ１０１で新たな呼びに対して割り当てられたかごと同じかごについての情報が既にリストＬ１に登録されているか否かを判定する（ステップＳ２０１）。ここでは、ステップＳ１０１で割り当てられたかごＡについての情報がリストＬ１に登録されているか否かが判定される。ステップＳ２０１において、同じかごについての情報が既にリストＬ１に登録されていると判定された場合、報知順決定部１４は、ステップＳ２０２の処理を行う。
【００５１】  ステップＳ２０２では、報知順決定部１４は、新たな「報知開始期限時刻」が登録済みの「報知開始期限時刻」よりも早いか否かを判定する。新たな「報知開始期限時刻」とは、ステップＳ１０５で算出された「報知開始期限時刻」を指す。つまり、ステップＳ２０２では、同じかごについて、既に登録されていた「報知開始期限時刻」と新たに算出された「報知開始期限時刻」との比較が行われる。
【００５２】  ステップＳ２０２において、新たな「報知開始期限時刻」が登録済みの「報知開始期限時刻」よりも早くないと判定された場合、報知順決定部１４は、報知順決定処理を終了する。この場合、新たな「報知開始期限時刻」はリストＬ１に登録されない。これは、新たな呼びに対して割り当てられたかごについて、より早い「報知開始期限時刻」が既に登録済みであれば、新たな「報知開始期限時刻」よりも前に報知が行われることが決定しているためである。また、新たな「報知開始期限時刻」が登録済みの「報知開始期限時刻」と同一であれば、改めてリストＬ１に登録する必要がないためである。
【００５３】  ステップＳ２０２において、新たな「報知開始期限時刻」が登録済みの「報知開始期限時刻」よりも早いと判定された場合、報知順決定部１４は、リストＬ１から登録済みの情報を削除する（ステップＳ２０３）。これは、新たな呼びに対して割り当てられたかごについて、既に登録されている「報知開始期限時刻」よりも早い時刻に報知を行う必要があるためである。
【００５４】  ステップＳ２０３に続いて、報知順決定部１４は、ステップＳ２０４の処理を行う。また、ステップＳ２０１において、同じかごについての情報がリストＬ１に登録されていないと判定された場合、報知順決定部１４は、ステップＳ２０４の処理を行う。ここでは、ステップＳ１０１で割り当てられたかごＡについての情報がリストＬ１に登録されていないので、ステップＳ２０１に続いてステップＳ２０４の処理が行われる。
【００５５】  ステップＳ２０４において、報知順決定部１４は、ｉに１を代入する。ｉは、リストＬ１の要素のインデックスである。ステップＳ２０４に続いて、報知順決定部１４は、リストＬ１の総要素数をＮに代入する（ステップＳ２０５）。ここでは、リストＬ１には何も要素が登録されていないため、Ｎ＝０となる。
【００５６】  ステップＳ２０５に続いて、報知順決定部１４は、ｉがＮよりも大きいか否かを判定する（ステップＳ２０６）。ｉがＮよりも大きいということは、リストＬ１にｉ番目の要素であるＬ１［ｉ］が存在しないことを意味する。一方、ｉがＮよりも大きくないということは、リストＬ１にＬ１［ｉ］が存在することを意味する。ここでは、ｉ＝１、Ｎ＝０よりＮ＜ｉであるため、Ｌ１［１］は存在しない。
【００５７】  ステップＳ２０６において、ｉがＮよりも大きいと判定された場合、報知順決定部１４は、新たな呼びに対して割り当てられたかごについての情報をＬ１［ｉ］に挿入する（ステップＳ２０７）。ここでは、Ｌ１［１］に「かご名」としてＡが、「報知開始期限時刻」として１２：００：０７が挿入される。これにより、リストＬ１の内容は表１に示すものとなる。ステップＳ２０７の処理の後、報知順決定部１４は、報知順決定処理を終了する。
【００５８】  ステップＳ２０６において、ｉがＮよりも大きくないと判定された場合、報知順決定部１４は、新たな呼びに対して割り当てられたかごについての「報知開始期限時刻」がＬ１［ｉ］の「報知開始期限時刻」よりも早いか否かを判定する（ステップＳ２０８）。つまり、ステップＳ２０８では、新たな呼びに対して割り当てられたかごについての「報知開始期限時刻」とリストＬ１のｉ番目の要素の「報知開始期限時刻」とが比較される。
【００５９】  ステップＳ２０８において、新たな呼びに対して割り当てられたかごについての「報知開始期限時刻」がＬ１［ｉ］の「報知開始期限時刻」よりも早いと判定された場合、報知順決定部１４は、当該かごについての情報をＬ１［ｉ］に挿入する（ステップＳ２０９）。ステップＳ２０９の処理が行われると、もともとＬ１［ｉ］に保存されていた要素はＬ１［ｉ＋１］となる。もともとＬ１［ｉ＋１］以下に保存されていた要素も同様に、Ｌ１［ｉ＋２］以下となる。
【００６０】  ステップＳ２０８において、新たな呼びに対して割り当てられたかごについての「報知開始期限時刻」がＬ１［ｉ］の「報知開始期限時刻」よりも早くないと判定された場合、報知順決定部１４は、ｉの値を１増加させる（ステップＳ２１０）。ステップＳ２１０の処理の後、報知順決定部１４は、ステップＳ２０６での比較を再度行う。このようにして、リストＬ１の１番目の要素から順番に、新たな呼びに対して割り当てられたかごについての「報知開始期限時刻」と比較される。
【００６１】  以下、図４を参照して、報知順決定処理の第２の具体例を説明する。報知順決定処理の第２の具体例は、上述した報知順更新処理の第２の具体例における報知順決定処理である。
【００６２】  ステップＳ２０１において、報知順決定部１４は、ステップＳ１０１で割り当てられたかごＣについての情報がリストＬ１に登録されているか否かを判定する。ここでは、かごＣについての情報がリストＬ１に登録されていないので、報知順決定部１４は、ステップＳ２０１に続いてステップＳ２０４の処理を行う。
【００６３】  ステップＳ２０４において、報知順決定部１４は、ｉに１を代入する。ステップＳ２０５において、報知順決定部１４は、リストＬ１の総要素数をＮに代入する。ここでは、リストＬ１に要素が１つ登録されているため、Ｎ＝１となる。
【００６４】  ステップＳ２０６において、報知順決定部１４は、ｉがＮよりも大きいか否かを判定する。ここでは、ｉ＝１、Ｎ＝１よりＮ＜ｉではないため、報知順決定部１４はステップＳ２０８の処理を行う。
【００６５】  ステップＳ２０８において、報知順決定部１４は、かごＣについての「報知開始期限時刻」である１２：００：０２とＬ１［１］の「報知開始期限時刻」である１２：００：０７とを比較する。ここでは、１２：００：０２＜１２：００：０７であるため、報知順決定部１４はステップＳ２０９の処理を行う。
【００６６】  ステップＳ２０９において、報知順決定部１４は、かごＣについての情報をＬ１［１］に挿入する。ここでは、Ｌ１［１］に「かご名」としてＣが、「報知開始期限時刻」として１２：００：０２が挿入される。もともと登録されていたかごＡについての情報は、Ｌ１［２］に繰り下がる。これにより、リストＬ１の内容は表４に示すものとなる。ステップＳ２０７の処理の後、報知順決定部１４は、報知順決定処理を終了する。
【００６７】  図５は、実施の形態１におけるエレベータの乗場報知システムの報知処理を示すフローチャートである。報知処理は、行先階を示す情報の入力を階床入力部５が受付開始するとともに開始される。
【００６８】  以下、図５を参照して、報知処理の具体例を説明する。報知処理の具体例では、表４に示す順序でかご位置報知部９による報知が行われるものとする。また、報知処理の具体例では、かご位置報知部９による報知は乗場スピーカ３からアナウンスを鳴動することで行われるものとする。
【００６９】  かご位置報知部９は、リストＬ１のＬ１［１］に要素が格納されているか否かを判定する（ステップＳ３０１）。つまり、ステップＳ３０１では、乗場スピーカ３を用いて報知すべき情報があるか否かが判定される。ステップＳ３０１において、Ｌ１［１］に要素が格納されていると判定された場合、かご位置報知部９は、ステップＳ３０２の処理を行う。ここでは、Ｌ１［１］にかごＣについての情報が格納されているため、かご位置報知部９は、ステップＳ３０２の処理を行う。
【００７０】  ステップＳ３０２において、かご位置報知部９は、アナウンスを鳴動中の乗場スピーカ３があるか否かを判定する。ステップＳ３０２において、アナウンスを鳴動中の乗場スピーカ３があると判定された場合、かご位置報知部９は、ステップＳ３０２の処理を繰り返す。つまり、かご位置報知部９は、乗場スピーカ３からのアナウンスの鳴動が完了するまで待機する。
【００７１】  ステップＳ３０２において、アナウンスを鳴動中の乗場スピーカ３がないと判定された場合、かご位置報知部９は、ステップＳ３０３の処理を行う。ここでは、アナウンスを鳴動中の乗場スピーカ３がないため、かご位置報知部９は、ステップＳ３０３の処理を行う。
【００７２】  ステップＳ３０３において、かご位置報知部９は、リストＬ１のＬ１［１］に記憶されているかごを取得する。ここでは、かご位置報知部９は、表４におけるＬ１［１］に記憶されているかごＣを取得する。
【００７３】  ステップＳ３０３に続いて、かご位置報知部９は、ステップＳ３０３で取得したかごに対応する乗場スピーカ３からアナウンスを鳴動させる（ステップＳ３０４）。ここでは、かご位置報知部９は、かごＣに対応する乗場スピーカ３ｃを用いて、かごＣに対応する乗場ドア１の位置を示す情報を報知する。なお、ステップＳ３０４において、かご位置報知部９は、ステップＳ３０３で取得したかごに対応する乗場スピーカ３を示す情報を報知情報記憶部１１に記憶されたリストＬ２から取得している。
【００７４】  ステップＳ３０４に続いて、かご位置報知部９は、リストＬ１からＬ１［１］の要素を削除する（ステップＳ３０５）。ここでは、報知が完了したかごＣについての情報がリストＬ１から削除される。また、ステップＳ３０５において、かご位置報知部９は、Ｌ１［２］の要素をＬ１［１］に配置し直す。ここでは、表４におけるＬ１［２］に格納されていたかごＡについての情報が、Ｌ１［１］に繰り上がる。ステップＳ３０５の処理の後、かご位置報知部９は、ステップＳ３０１の処理を行う。
【００７５】  ステップＳ３０１において、かご位置報知部９は、リストＬ１のＬ１［１］に要素が格納されているか否かを判定する。ここでは、Ｌ１［１］にかごＡについての情報が格納されているため、かご位置報知部９は、ステップＳ３０２の処理を行う。
【００７６】  ステップＳ３０２において、かご位置報知部９は、アナウンスを鳴動中の乗場スピーカ３があるか否かを判定する。ここでは、乗場スピーカ３ｃからアナウンスが鳴動中であるため、かご位置報知部９は、当該アナウンスの鳴動が完了するまで待機する。その後、かご位置報知部９は、ステップＳ３０３の処理を行う。
【００７７】  ステップＳ３０３において、かご位置報知部９は、Ｌ１［１］に記憶されているかごＡを取得する。ステップＳ３０４において、かご位置報知部９は、かごＡに対応する乗場スピーカ３ａを用いて、かごＡに対応する乗場ドア１ａの位置を示す情報を報知する。
【００７８】  ステップＳ３０５において、かご位置報知部９は、リストＬ１からＬ１［１］の要素を削除する。ここでは、報知が完了したかごＡについての情報がリストＬ１から削除される。３０５の処理の後、かご位置報知部９は、ステップＳ３０１の処理を行う。
【００７９】  ステップＳ３０１において、かご位置報知部９は、リストＬ１のＬ１［１］に要素が格納されているか否かを判定する。ステップＳ３０１において、Ｌ１［１］に要素が格納されていないと判定された場合、かご位置報知部９は、ステップＳ３０６の処理を行う。つまり、乗場スピーカ３を用いて報知すべき情報がない場合は、ステップＳ３０６の処理が行われる。ここでは、Ｌ１［１］に要素が格納されていないため、かご位置報知部９は、ステップＳ３０６の処理を行う。
【００８０】  ステップＳ３０６において、かご位置報知部９は、利用者による行先階を示す情報の入力を階床入力部５が受け付けているか否かを判定する。ステップＳ３０６において、階床入力部５が入力を受け付けていると判定された場合、かご位置報知部９は、ステップＳ３０１の処理を行う。この場合、かご位置報知部９は、リストＬ１に新たに要素が格納されるまで待機する。
【００８１】  ステップＳ３０６において、階床入力部５が入力を受け付けていないと判定された場合、かご位置報知部９は、報知処理を終了する。これは、リストＬ１に今後新たに要素が追加されることがないためである。
【００８２】  実施の形態１において、かご位置報知部９は、かご割当部７により割り当てられたかごに対応する乗場ドア１の位置を示す情報を当該かごに対応する乗場スピーカ３を用いて報知する。報知順決定部１４は、「報知時間」、「到着時刻」及び「移動時間」に基づいて、かご割当部７により割り当てられたかごについての報知を行う順序を決定する。報知順記憶部１０は、報知順決定部１４により決定された報知の順序を記憶する。かご位置報知部９は、報知順記憶部１０に記憶されている順序に従って報知を行う。また、かご位置報知部９は、１つのかごについての報知が完了するまでは他のかごについての報知を開始しない。実施の形態１によれば、複数の乗場スピーカ３からの鳴動が重なることがない。このため、利用者が音を聞き取りづらくなることを防止できる。その結果、エレベータの乗場報知システムにおいて、利用者が割当かごに対応する乗場ドア１を誤認識することを防止できる。
【００８３】  実施の形態１において、報知順決定部１４は、かご割当部７により割り当てられたかごのうち、報知情報記憶部１１に記憶されている時間と移動時間取得部１３により取得された時間とを合わせた時間だけ到着時刻取得部１２により取得された時刻から遡った時刻がより早いものについての報知がより先に行われるように、報知を行う順序を決定する。つまり、報知順決定部１４は、「報知開始期限時刻」がより早いものについての報知がより先に行われるように、報知を行う順序を決定する。このため、利用者が音を聞き取りづらくなることを防止しつつ、乗場操作盤２から乗場ドア１の位置まで利用者が移動する時間を確保することができる。
【００８４】実施の形態２．  以下、実施の形態１との相違点を中心に、エレベータの乗場報知システムの構成を説明する。実施の形態１と同一又は相当する部分には同一の符号を付して、一部の説明を省略する。以下の説明では、かご位置報知部９による報知は乗場スピーカ３からアナウンスを鳴動することで行われるものとする。また、割当かご報知部８による報知は操作盤スピーカ６からアナウンスを鳴動することで行われるものとする。
【００８５】  図６は、実施の形態２におけるエレベータの乗場報知システムの構成図である。図６に示すように、実施の形態２では、割当かご報知部８とかご位置報知部９との間で、報知状況を示す情報がやり取りされる。
【００８６】  図７は、実施の形態２におけるエレベータの乗場報知システムの報知順更新処理を示すフローチャートである。以下、図７を参照して、実施の形態２における報知順更新処理を説明する。
【００８７】  図７におけるステップＳ４０１からステップＳ４０６の処理は、図３におけるステップＳ１０１からステップＳ１０６の処理と同様である。
【００８８】  ステップＳ４０７において、割当かご報知部８は、かご位置報知部９から得た情報に基づいて、アナウンスを鳴動中の乗場スピーカ３があるか否かを判定する。ステップＳ４０７において、アナウンスを鳴動中の乗場スピーカ３があると判定された場合、割当かご報知部８は、ステップＳ４０７の処理を繰り返す。つまり、割当かご報知部８は、乗場スピーカ３からのアナウンスの鳴動が完了するまで待機する。
【００８９】  ステップＳ４０７において、アナウンスを鳴動中の乗場スピーカ３がないと判定された場合、割当かご報知部８は、ステップＳ４０８の処理を行う。ステップＳ４０８の処理は、図３におけるステップＳ１０７の処理と同様である。
【００９０】  図８は、実施の形態２におけるエレベータの乗場報知システムの報知処理を示すフローチャートである。以下、図８を参照して、実施の形態２における報知処理を説明する。
【００９１】  図８におけるステップＳ５０１からステップＳ５０３の処理は、図５におけるステップＳ３０１からステップＳ３０３の処理と同様である。
【００９２】  ステップＳ５０４において、かご位置報知部９は、割当かご報知部８から得た情報に基づいて、アナウンスを鳴動中の操作盤スピーカ６があるか否かを判定する。ステップＳ５０４において、アナウンスを鳴動中の操作盤スピーカ６があると判定された場合、かご位置報知部９は、ステップＳ５０４の処理を繰り返す。つまり、かご位置報知部９は、操作盤スピーカ６からのアナウンスの鳴動が完了するまで待機する。
【００９３】  ステップＳ５０４において、アナウンスを鳴動中の操作盤スピーカ６がないと判定された場合、かご位置報知部９は、ステップＳ５０５の処理を行う。図８におけるステップＳ５０５からステップＳ５０７の処理は、図５におけるステップＳ３０４からステップＳ３０６の処理と同様である。
【００９４】  実施の形態２において、かご位置報知部９は、割当かご報知部８による報知が行われている間は報知を行わない。また、割当かご報知部８は、かご位置報知部９による報知が行われている間は報知を行わない。実施の形態２によれば、乗場スピーカ３からの鳴動と操作盤スピーカ６からの鳴動とが重なることがない。このため、利用者が音をより聞き取りやすくすることができる。その結果、エレベータの乗場報知システムにおいて、利用者が割当かごに対応する乗場ドア１を誤認識することを防止できる。
【００９５】実施の形態３．  以下、実施の形態１との相違点を中心に、エレベータの乗場報知システムの構成を説明する。実施の形態１と同一又は相当する部分には同一の符号を付して、一部の説明を省略する。
【００９６】  図９は、実施の形態３におけるエレベータの乗場報知システムの構成図である。図９に示すように、制御盤４は、報知可能判定部１５を備えている。
【００９７】  報知可能判定部１５は、報知可能判定処理を行う。報知可能判定処理は、報知順記憶部１０に記憶されている順序に従って報知を行うことが可能であるか否かを判定することである。具体的には、報知可能判定部１５は、報知開始が「報知開始期限時刻」より遅れることなく且つ複数の乗場スピーカ３からの鳴動が重なることなく、リストＬ１に登録されている全てのかごについての報知を完了することが可能であるか否かを判定する。
【００９８】  報知可能判定部１５は、報知順記憶部１０の記憶内容に変更があった際に、報知順記憶部１０の記憶内容及び報知情報記憶部１１の記憶内容に基づいて報知可能判定処理を行う。つまり、報知可能判定部１５は、新たな呼びに対してかごが割り当てられたことにより報知順記憶部１０に記憶されている順序が更新された際に、報知可能判定処理を行う。かご割当部７は、報知可能判定部１５による報知可能判定処理の結果が報知完了不可能を示すものである場合、当該新たな呼びに対して別のかごを割り当てる。
【００９９】  図１０は、実施の形態３におけるエレベータの乗場報知システムの報知順更新処理を示すフローチャートである。以下、図１０を参照して、実施の形態３における報知順更新処理を説明する。
【０１００】  図１０におけるステップＳ６０１からステップＳ６０６の処理は、図３におけるステップＳ１０１からステップＳ１０６の処理と同様である。
【０１０１】  ステップＳ６０７では、報知可能判定部１５による報知可能判定処理が実施される。ステップＳ６０８では、報知可能判定処理の結果が報知完了不可能を示すものであるか否かが判定される。ステップＳ６０８において、報知可能判定処理の結果が報知完了不可能を示すものであると判定された場合、ステップＳ６０９の処理が行われる。ステップＳ６０９では、ステップＳ６０１でかごが割り当てられた呼びに対して別のかごが割り当てられる。ステップＳ６０９の後は、ステップＳ６０２の処理が行われる。
【０１０２】  ステップＳ６０８において、報知可能判定処理の結果が報知完了可能を示すものであると判定された場合、ステップＳ６１０の処理が行われる。ステップＳ６１０の処理は、図３におけるステップＳ１０７の処理と同様である。
【０１０３】  図１１は、実施の形態３におけるエレベータの乗場報知システムの報知可能判定処理を示すフローチャートである。図１１は、図１０のステップＳ６０７で行われる処理の詳細を示すものである。
【０１０４】  以下、図１１を参照して、報知可能判定処理を説明する。以下の説明におけるＴ１、Ｔ２及びＴ３は、報知可能判定部１５が記憶する変数である。Ｔ１には、リストＬ１に登録されている各かごについての報知開始時刻と想定される時刻が代入される。
【０１０５】  報知可能判定処理が開始されると、報知可能判定部１５は、現在時刻をＴ１に代入する（ステップＳ７０１）。ステップＳ７０１に続いて、報知可能判定部１５は、ｉに１を代入する（ステップＳ７０２）。ｉは、リストＬ１の要素のインデックスである。ステップＳ７０２に続いて、報知可能判定部１５は、リストＬ１の総要素数をＮに代入する（ステップＳ７０３）。
【０１０６】  ステップＳ７０３に続いて、報知可能判定部１５は、ｉがＮよりも大きいか否かを判定する（ステップＳ７０４）。ステップＳ７０４の処理は、リストＬ１にｉ番目の要素であるＬ１［ｉ］が存在するか否かを判定するために行うものである。
【０１０７】  ステップＳ７０４において、ｉがＮよりも大きくないと判定された場合、報知可能判定部１５は、Ｌ１［ｉ］の「報知開始期限時刻」をＴ２に代入する（ステップＳ７０５）。ステップＳ７０５に続いて、報知可能判定部１５は、Ｔ１がＴ２よりも早いか否かを判定する（ステップＳ７０６）。つまり、ステップＳ７０６では、Ｌ１［ｉ］のかごについての報知開始時刻と当該かごについての「報知開始期限時刻」とが比較される。
【０１０８】  ステップＳ７０６において、Ｔ１がＴ２よりも早いと判定された場合、報知可能判定部１５は、Ｌ１［ｉ］のかごについての「報知時間」をＴ３に代入する（ステップＳ７０７）。なお、ステップＳ７０７において、報知可能判定部１５は、Ｌ１［ｉ］のかごについての「報知時間」を報知情報記憶部１１に記憶されたリストＬ２から取得している。
【０１０９】  ステップＳ７０７に続いて、報知可能判定部１５は、現在のＴ１にＴ３を加えた時刻を新たなＴ１とする（ステップＳ７０８）。つまり、ステップＳ７０８では、Ｔ１をＬ１［ｉ＋１］のかごについての報知開始時刻に更新する。ステップＳ７０８に続いて、報知可能判定部１５は、ｉの値を１増加させる（ステップＳ７０９）。ステップＳ７０９の処理の後、報知可能判定部１５は、ステップＳ７０４の処理を行う。これにより、リストＬ１の全ての要素について、ステップＳ７０６での判定が行われることとなる。
【０１１０】  ステップＳ７０６において、Ｔ１がＴ２よりも早くないと判定された場合、報知可能判定部１５は、報知完了不可能と判定する（ステップＳ７１０）。つまり、リストＬ１に登録されているかごの少なくとも１つについての報知開始時刻が当該１つについての「報知開始期限時刻」を過ぎると予想される場合、報知可能判定部１５は、報知完了不可能と判定する。ステップＳ７１０の処理の後、報知可能判定部１５は、報知可能判定処理を終了する。
【０１１１】  ステップＳ７０４において、ｉがＮよりも大きいと判定された場合、報知可能判定部１５は、報知完了可能と判定する（ステップＳ７１１）。ステップＳ７１１の処理の後、報知可能判定部１５は、報知可能判定処理を終了する。
【０１１２】  実施の形態３において、報知可能判定部１５は、新たな呼びに対してかごが割り当てられたことにより報知順記憶部１０に記憶されている順序が更新された際に、かご位置報知部９が当該順序に従って報知を行うことが不可能であるか否かを判定する。かご割当部７は、報知可能判定部１５によりかご位置報知部９が当該順序に従って報知を行うことが不可能であると判定された場合、当該新たな呼びに対して別のかごを割り当てる。実施の形態３によれば、全ての割当かごについての報知を完了することが不可能となるようなかごの割り当てが行われた場合には、再度かごの割り当てが行われる。このため、利用者へ報知するための時間及び利用者が移動するための時間を十分に確保することができる。その結果、エレベータの乗場報知システムにおいて、利用者が音を聞き取りづらくなること及び利用者が割当かごに乗り損なうことを防止することができる。
【０１１３】  実施の形態１、２及び３において、割当かご報知部８は、例えば、操作盤スピーカ６からブザー音又はメロディー等の音を鳴動させることで報知を行ってもよい。かご位置報知部９は、例えば、乗場スピーカ３からブザー音又はメロディー等の音を鳴動させることで報知を行ってもよい。この場合、利用者が操作した乗場操作盤２の操作盤スピーカ６から鳴動する音と割当かごに対応する乗場スピーカ３から鳴動する音とを同じにすることで、当該割当かごに乗車するための乗場ドア１の位置を利用者に知らせることができる。
【０１１４】  実施の形態１、２及び３において、移動時間取得部１３は、複数の種類のリストＬ３を記憶していてもよい。複数の種類のリストＬ３が存在する場合に、制御盤４は、リストＬ３を切り換えて使用してもよい。制御盤４は、例えば、乗場の混雑度に応じてリストＬ３を切り換えてもよい。乗場の混雑度は、例えば、階床入力部５に対する入力頻度等に基づいて検出される。また、制御盤４は、例えば、利用者が健常者であるか障がい者であるかの判定に応じてリストＬ３を切り換えてもよい。当該判定は、例えば、階床入力部５に対する入力内容等に基づいて行われる。これらの場合、状況に応じて「移動時間」を変更することで、利用者が移動するための時間を十分に確保することができる。これにより、利用者がかごに乗り損なうことを防止できる。
【０１１５】  図１２は、制御盤のハードウェア構成図である。
【０１１６】  制御盤４におけるかご割当部７、割当かご報知部８、かご位置報知部９、報知順記憶部１０、報知情報記憶部１１、到着時刻取得部１２、移動時間取得部１３、報知順決定部１４及び報知可能判定部１５の各機能は、処理回路１６により実現される。処理回路１６は、プロセッサ１７及びメモリ１８を備えていてもよい。また、処理回路１６は、専用のハードウェアであってもよい。
【０１１７】  処理回路１６が少なくとも１つのプロセッサ１７及び少なくとも１つのメモリ１８を備える場合、かご割当部７、割当かご報知部８、かご位置報知部９、報知順記憶部１０、報知情報記憶部１１、到着時刻取得部１２、移動時間取得部１３、報知順決定部１４及び報知可能判定部１５の各機能は、ソフトウェア、ファームウェア、又はソフトウェアとファームウェアとの組み合わせにより実現される。ソフトウェアやファームウェアはプログラムとして記述され、メモリ１８に格納される。プロセッサ１７は、メモリ１８に記憶されたプログラムを読み出して実行することにより、各部の機能を実現する。プロセッサ１７は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。メモリ１８は、例えば、ＲＡＭ、ＲＯＭ、フラッシュメモリー、ＥＰＲＯＭ、ＥＥＰＲＯＭ等の、不揮発性又は揮発性の半導体メモリや、磁気ディスク、フレキシブルディスク、光ディスク、コンパクトディスク、ミニディスク、ＤＶＤ等が該当する。
【０１１８】  処理回路１６が少なくとも１つの専用のハードウェアである場合、処理回路１６は、例えば、単一回路、複合回路、プログラム化したプロセッサ、並列プログラム化したプロセッサ、ＡＳＩＣ、ＦＰＧＡ、又はこれらを組み合わせたものが該当する。かご割当部７、割当かご報知部８、かご位置報知部９、報知順記憶部１０、報知情報記憶部１１、到着時刻取得部１２、移動時間取得部１３、報知順決定部１４及び報知可能判定部１５の各部の機能それぞれを処理回路１６で実現してもよいし、各部の機能をまとめて処理回路１６で実現してもよい。
【０１１９】  なお、かご割当部７、割当かご報知部８、かご位置報知部９、報知順記憶部１０、報知情報記憶部１１、到着時刻取得部１２、移動時間取得部１３、報知順決定部１４及び報知可能判定部１５の各機能について、一部を専用のハードウェアで実現し、一部をソフトウェア又はファームウェアで実現するようにしてもよい。例えば、かご割当部７については専用のハードウェアとしての処理回路１６でその機能を実現し、割当かご報知部８、かご位置報知部９、報知順記憶部１０、報知情報記憶部１１、到着時刻取得部１２、移動時間取得部１３、報知順決定部１４及び報知可能判定部１５についてはプロセッサ１７がメモリ１８に格納されたプログラムを読み出して実行することによってその機能を実現することが可能である。
【０１２０】  このように、処理回路１６は、ハードウェア、ソフトウェア、ファームウェア、又はこれらの組み合わせによって、上述の各機能を実現することができる。
【産業上の利用可能性】
【０１２１】  本発明に係るエレベータの乗場報知システムは、複数のかごが設けられた建物に適用できる。
【符号の説明】
【０１２２】１，１ａ，１ｂ，１ｃ  乗場ドア２，２ａ，２ｂ，２ｃ  乗場操作盤３，３ａ，３ｂ，３ｃ  乗場スピーカ４  制御盤５  階床入力部６  操作盤スピーカ７  かご割当部８  割当かご報知部９  かご位置報知部１０  報知順記憶部１１  報知情報記憶部１２  到着時刻取得部１３  移動時間取得部１４  報知順決定部１５  報知可能判定部１６  処理回路１７  プロセッサ１８  メモリ
【図１】
2016185527.tif 000007
【図２】
2016185527.tif 000008
【図３】
2016185527.tif 000009
【図４】
2016185527.tif 000010
【図５】
2016185527.tif 000011
【図６】
2016185527.tif 000012
【図７】
2016185527.tif 000013
【図８】
2016185527.tif 000014
【図９】
2016185527.tif 000015
【図１０】
2016185527.tif 000016
【図１１】
2016185527.tif 000017
【図１２】
2016185527.tif 000018
【手続補正書】
【提出日】平成29年5月24日(2017.5.24)
【手続補正１】
【補正対象書類名】特許請求の範囲
【補正対象項目名】全文
【補正方法】変更
【補正の内容】
【特許請求の範囲】
【請求項１】
複数の昇降経路を昇降する複数のかごに対応する複数の乗場ドアが設けられた少なくとも１つの階の乗場において前記複数のかごに対応して配置された乗場スピーカと、
前記乗場に設けられた乗場操作盤に対するかご呼び操作に応じて前記複数のかごの中から少なくとも１つのかごを割り当てるかご割当部と、
前記かご割当部により割り当てられたかごに対応する乗場ドアの位置情報を当該かごに対応する乗場スピーカを用いて報知するかご位置報知部と、
を備え、
前記かご位置報知部は、第１のかご呼び操作により割り当てられた第１のかごに対応する第１の乗場スピーカが位置情報の報知をしている場合は、第２のかご呼び操作により割り当てられた第２のかごに対応する前記第１の乗場スピーカとは異なる第２の乗場スピーカでの位置情報の報知を前記第１の乗場スピーカでの報知が終了するまで行わないエレベータの乗場報知システム。
【請求項２】
複数のかご呼び操作に応じて前記かご割当部により割り当てられた複数のかごに対応する乗場スピーカからの位置情報の報知順を決定する報知順決定部を備え、
前記かご位置報知部は、前記報知順決定部により決定された報知順に従って報知を行う請求項１に記載のエレベータの乗場報知システム。
【請求項３】
前記報知順決定部は、割り当てられたかごの乗場への到着時刻に基づいて報知順を決定する請求項２に記載のエレベータの乗場報知システム。
【請求項４】
前記乗場の乗場操作盤に設けられ、行先階を示す情報の入力を受け付ける階床入力部と、
前記かご位置報知部による報知に要する時間を記憶している報知情報記憶部と、
前記かご割当部によりかごが割り当てられた場合に、前記乗場が設けられた階に当該かごが到着する時刻を取得する到着時刻取得部と、
前記かご割当部によりかごが割り当てられた場合に、前記階床入力部が設けられた乗場操作盤の位置から当該かごに対応する乗場ドアの位置まで利用者が移動するのに要する時間を取得する移動時間取得部と、
前記報知順決定部により決定された順序を記憶する報知順記憶部と、
を備え、
前記かご割当部は、前記階床入力部に入力された情報に基づく呼びに対して前記複数のかごのうち１つを割り当て、
前記報知順決定部は、前記報知情報記憶部に記憶されている時間、前記到着時刻取得部により取得された時刻及び前記移動時間取得部により取得された時間に基づいて、前記かご割当部により割り当てられたかごについての報知を行う順序を決定し、
前記かご位置報知部は、１つのかごについての報知が完了するまでは他のかごについての報知を開始せず、前記報知順記憶部に記憶されている順序に従って報知を行う請求項２又は３に記載のエレベータの乗場報知システム。
【請求項５】
前記報知順決定部は、前記かご割当部により割り当てられたかごのうち、前記報知情報記憶部に記憶されている時間と前記移動時間取得部により取得された時間とを合わせた時間だけ前記到着時刻取得部により取得された時刻から遡った時刻がより早いものについての報知がより先に行われるように報知を行う順序を決定する請求項４に記載のエレベータの乗場報知システム。
【請求項６】
前記階床入力部が設けられた乗場操作盤に設けられた操作盤スピーカと、
前記かご割当部により割り当てられたかごを示す情報を前記操作盤スピーカを用いて報知する割当かご報知部と、
を備え、
前記かご位置報知部は、前記割当かご報知部による報知が行われている間は報知を行わず、
前記割当かご報知部は、前記かご位置報知部による報知が行われている間は報知を行わない請求項５に記載のエレベータの乗場報知システム。
【請求項７】
新たな呼びに対してかごが割り当てられたことにより前記報知順記憶部に記憶されている順序が更新された際に、前記かご位置報知部が当該順序に従って報知を行うことが不可能であるか否かを判定する報知可能判定部を備え、
前記かご割当部は、前記報知可能判定部により前記かご位置報知部が当該順序に従って報知を行うことが不可能であると判定された場合、当該新たな呼びに対して別のかごを割り当てる請求項５に記載のエレベータの乗場報知システム。
【手続補正２】
【補正対象書類名】明細書
【補正対象項目名】０００６
【補正方法】変更
【補正の内容】
【０００６】
本発明に係るエレベータの乗場報知システムは、複数の昇降経路を昇降する複数のかごに対応する複数の乗場ドアが設けられた少なくとも１つの階の乗場において複数のかごに対応して配置された乗場スピーカと、乗場に設けられた乗場操作盤に対するかご呼び操作に応じて複数のかごの中から少なくとも１つのかごを割り当てるかご割当部と、かご割当部により割り当てられたかごに対応する乗場ドアの位置情報を当該かごに対応する乗場スピーカを用いて報知するかご位置報知部と、を備え、かご位置報知部は、第１のかご呼び操作により割り当てられた第１のかごに対応する第１の乗場スピーカが位置情報の報知をしている場合は、第２のかご呼び操作により割り当てられた第２のかごに対応する第１の乗場スピーカとは異なる第２の乗場スピーカでの位置情報の報知を第１の乗場スピーカでの報知が終了するまで行わないものである。
【国際調査報告】
2016185527.tif 000019
2016185527.tif 000020
2016185527.tif 000021